(57)【特許請求の範囲】
【請求項１】
放送番組の番組情報を含む放送信号の入力から前記番組情報を取得する番組情報取得部と、
前記番組情報取得部で取得された前記番組情報に含まれる語句から、少なくとも「親子」、「兄弟」、「内包」、「同義」のいずれかの関係にある語句間の関連を示す語句関連情報を抽出し、前記番組情報に含まれる文章の構文を解析し、文章中の各語句のカテゴリを判別して構文情報を抽出し、抽出された前記語句関連情報及び前記構文情報に基づいて検索用タームを推論し、前記検索用タームを出力する意味解析部と前記意味解析部から出力された前記検索用タームを検索キーとしてインターネット上で検索を行うことによって該検索キーに関連した番組関連情報を取得する検索部とを有する関連情報検索部と、
前記番組情報取得部で取得された前記番組情報及び前記検索部による検索で取得された前記番組関連情報を蓄積する情報蓄積部と、
前記番組関連情報を提供情報として出力する情報表示制御部とを備えた番組情報提供装置であって、
前記関連情報検索部は、予め前記情報蓄積部に蓄積されていた過去の放送番組の番組情報及び前記過去の放送番組に関する番組関連情報から前記検索用タームを選択することが可能なことを特徴とする番組情報提供装置。
【請求項２】
前記関連情報検索部は、前記意味解析部によって過去に抽出された語句関連情報及び構文情報を含む知識スキームを蓄積する知識スキーム提供部を有し、前記意味解析部による意味解析は、前記知識スキーム提供部が蓄積する知識スキームを用いて行われることを特徴とする請求項１に記載の番組情報提供装置。
【請求項３】
前記番組情報取得部は、放送信号に含まれる音声情報を取得する音声情報取得部と、前記放送信号に含まれる字幕情報を取得する字幕情報取得部と、前記字幕情報取得部によって取得された字幕情報から、前記音声情報に基づいて特定された特定シーンの字幕情報を取得する特定シーン字幕情報取得部とを有し、
前記番組情報取得部から出力される番組情報は、前記特定シーンの字幕情報であることを特徴とする請求項１または２に記載の番組情報提供装置。
【発明の詳細な説明】
【技術分野】
【０００１】
本発明は、放送番組に関する情報をユーザー（視聴者）に提供する番組情報提供装置に関するものである。
【背景技術】
【０００２】
デジタル放送受信機には、放送信号に含まれる番組案内情報を抽出して表示装置に表示させる機能がある。しかし、表示される情報は、番組のタイトル、出演者、ジャンル、放送時間等に限られており、ユーザーには、番組に関するより多くの情報を得たいという要望がある。このため、放送信号に含まれる番組案内情報を用いてインターネット上の情報を検索し、ユーザーに配信する情報配信装置が提案されている（例えば、特許文献１参照）。
【０００３】
また、膨大な量のデジタルコンテンツに対するユーザーの嗜好傾向を把握し、これに基づいてユーザーのコンテンツ選択の補助になる情報を表示してユーザーをナビゲートする機能を有する情報ナビゲーション装置も提案されている（例えば、特許文献２参照）。
【先行技術文献】
【特許文献】
【０００４】
【特許文献１】特開２００２−３６８７０４号公報（段落０００９，００１２、図２）
【特許文献２】特開２００５−１８２６９号公報（段落００２０、図１）
【発明の概要】
【発明が解決しようとする課題】
【０００５】
しかしながら、上記従来の装置によって提供される放送番組に関する情報は、ユーザーが欲する情報を充分に含んでいないことが多く、ユーザーにとって、視聴又は録画したい番組が何であるかを適切に判断することが困難であるという問題がある。
【０００６】
また、ハードディスクドライブ（ＨＤＤ）の大容量化によって放送番組を大量に録画して蓄積することが可能になったことから、ユーザーにとって、蓄積された番組の中から視聴したい番組を迅速に見つけることが困難であるという問題もある。
【０００７】
そこで、本発明は、上記従来技術の課題を解決するためになされたものであり、その目的は、ユーザーが視聴又は録画を希望する番組を判断するための情報を適切且つ迅速に提供することができる番組情報提供装置を提供することにある。
【課題を解決するための手段】
【０００８】
本発明の番組情報提供装置は、
放送番組の番組情報を含む放送信号の入力から前記番組情報を取得する番組情報取得部と、
前記番組情報取得部で取得された前記番組情報に含まれる語句から、少なくとも「親子」、「兄弟」、「内包」、「同義」のいずれかの関係にある語句間の関連を示す語句関連情報を抽出し、前記番組情報に含まれる文章の構文を解析し、文章中の各語句のカテゴリを判別して構文情報を抽出し、抽出された前記語句関連情報及び前記構文情報に基づいて検索用タームを推論し、前記検索用タームを出力する意味解析部と前記意味解析部から出力された前記検索用タームを検索キーとしてインターネット上で検索を行うことによって該検索キーに関連した番組関連情報を取得する検索部とを有する関連情報検索部と、
前記番組情報取得部で取得された前記番組情報及び前記検索部による検索で取得された前記番組関連情報を蓄積する情報蓄積部と、
前記番組関連情報を提供情報として出力する情報表示制御部とを備えた番組情報提供装置であって、
前記関連情報検索部は、予め前記情報蓄積部に蓄積されていた過去の放送番組の番組情報及び前記過去の放送番組に関する番組関連情報から前記検索用タームを選択することを特徴とする。
【発明の効果】
【０００９】
本発明の番組情報提供装置によれば、ユーザーが視聴又は録画を希望する番組を判断するための情報を適切且つ迅速に提供することができるという効果を得ることができる。
【図面の簡単な説明】
【００１０】
【図１】本発明の実施の形態１並びに実施の形態２、４、５に係る番組情報提供装置の構成を示すブロック図である。
【図２】本発明の実施の形態２に係る番組情報提供装置の関連情報検索部の構成を示すブロック図である。
【図３】本発明の実施の形態３並びに実施の形態２、４、５に係る番組情報提供装置の構成を示すブロック図である。
【図４】本発明の実施の形態４に係る番組情報提供装置の関連情報検索部の構成を示すブロック図である。
【図５】本発明の実施の形態５に係る番組情報提供装置の番組情報取得部の構成を示すブロック図である。
【図６】本発明の実施の形態６並びに実施の形態２、４、５に係る番組情報提供装置の構成を示すブロック図である。
【発明を実施するための形態】
【００１１】
実施の形態１．
図１は、本発明の実施の形態１に係る番組情報提供装置１０（番組情報提供方法を実施する装置）の構成を示すブロック図である。図１の番組情報提供装置１０の構成は、後述する実施の形態２、４、５に係る番組情報提供装置に適用可能な構成でもある。本発明の番組情報提供装置は、例えば、デジタル放送受信機、ＨＤＤレコーダ又はデジタル多用途ディスク（ＤＶＤ）レコーダのようなデジタル放送記録再生装置、又は、デジタルテレビ等に適用できる。
【００１２】
図１に示される番組情報提供装置１０は、放送番組の番組情報ＰＩを含む放送信号を受信し、選局して出力するデジタル放送受信部１００と、デジタル放送受信部１００から出力される放送信号が入力され、この入力された放送信号から番組情報ＰＩを取得（抽出）する番組情報取得部２００（後述する実施の形態５においては、符号２０１を用いる。）と、過去の放送番組についての取得情報を蓄積するＨＤＤ、ＤＶＤ、又は半導体メモリなどの情報蓄積部５００とを有する。また、実施の形態１に係る番組情報提供装置１０は、インターネット４００に接続され、番組情報取得部２００によって取得され、ユーザーが検索対象として指定した放送番組の番組情報ＰＩを用いて情報蓄積部５００内及びインターネット４００上で検索を行うことによって、検索対象として指定された放送番組に関連する番組関連情報ＰＲＩを取得する関連情報検索部３００（後述する実施の形態４においては、符号３０１を用いる。）と、検索対象として指定された放送番組の番組情報ＰＩ及び番組関連情報ＰＲＩに基づく提供情報を表示装置に出力する番組情報表示制御部６００とを有している。
【００１３】
番組関連情報ＰＲＩは、例えば、番組情報ＰＩが「トリノオリンピック」であり、検索キーが「トリノオリンピック」であった場合には、トリノオリンピックに関する番組や関連情報のサイトなどが含まれる。また、番組関連情報ＰＲＩは、例えば、番組情報ＰＩが「トリノオリンピック」であり、検索キーが「オリンピック」であった場合には、オリンピックに関する番組や関連情報のサイトなどが含まれる。さらにまた、番組関連情報ＰＲＩは、例えば、番組情報ＰＩが「トリノオリンピック」であり、検索キーが「トリノ」であった場合には、トリノに関する番組や関連情報のサイトなどが含まれる。
【００１４】
また、表示装置に表示される提供情報は、番組情報ＰＩ及び番組関連情報ＰＲＩを含む。提供情報となる番組情報ＰＩには、番組のタイトル（例えば、「トリノオリンピック開会式」など）、番組の放送日時、番組の放送チャンネル、司会やゲストなどの出演者が含まれる。また、提供情報となる番組関連情報ＰＲＩのうち、インターネット４００上で検索されたものとしては、例えば、オリンピック委員会の公式サイトのＵＲＬ情報、トリノオリンピック情報を提供する報道機関サイトのＵＲＬ情報などが含まれる。さらにまた、提供情報となる番組関連情報ＰＲＩのうち、情報蓄積部５００内で検索されたものとしては、トリノオリンピックに関する録画済みの放送番組のリストなどが含まれる。
【００１５】
図１には、番組情報提供装置１０がデジタル放送受信機である場合が示されている。ただし、番組情報提供装置１０がデジタル放送記録再生装置である場合には、情報蓄積部５００は、映像音声データをも蓄積する。また、番組情報提供装置１０がデジタルテレビである場合には、番組情報提供装置１０は表示装置を構成として含む。なお、他のデジタル放送受信機（図示せず）からの放送信号が番組情報取得部２００に入力される場合には、番組情報提供装置１０は、デジタル放送受信部１００を含まない構成とすることができる。
【００１６】
次に、実施の形態１に係る番組情報提供装置１０の動作を説明する。デジタル放送受信部１００には、例えば、アンテナ（図示せず）で受信された又は回線を経由して送られてきたデジタル放送信号が入力される。受信可能なデジタル放送信号には、地上デジタル放送、ＢＳデジタル放送、ＣＳデジタル放送などの放送信号が含まれ、また、インターネットなどの通信網を経由して受信される放送信号も含まれ、放送信号の伝送経路は何であってもよい。デジタル放送受信部１００に入力された放送信号（以下「受信データ」とも言う。）は、番組情報取得部２００に入力され、番組情報取得部２００は、受信データから番組情報ＰＩを取り出す。番組情報ＰＩとして取り出されるデータは、デジタル放送に関して社団法人電波産業会（ＡＲＩＢ）が規格化した「デジタル放送に使用する番組配列情報」（ＡＲＩＢ  ＳＴＢ−Ｂ１０）における番組案内情報（ＳＩ：Ｓｅｒｖｉｃｅ  Ｉｎｆｏｒｍａｔｉｏｎ）、ＡＲＩＢが規格化したメタデータ（ＡＲＩＢ  ＳＴＤ−Ｂ３８）などの番組に付随して送られる番組情報のほかに、字幕情報、音声情報、映像情報など番組内容データそのものから収集される情報をも含む。情報蓄積部５００には、過去にユーザーが視聴又は録画した過去の放送番組についての取得情報ＰＩ０，ＰＲＩ０が格納される。
【００１７】
関連情報検索部３００は、番組情報取得部２００によって取得された検索対象として指定された放送番組の番組情報ＰＩ（例えば、番組提供者によって提供された番組データ、番組に付随して伝送されたデータを含む。）から、当該番組に強く関連する検索用ターム（複数のタームからなるターム群の場合もある。）を選び、この検索用タームを検索キーにしてインターネット４００上（例えば、インターネット４００内にある情報配信装置４１０）から検索キーに関連する番組関連情報ＰＲＩ（すなわち、番組情報ＰＩに関連する情報）を入手する。情報配信装置４１０は、デジタル放送の番組の情報を格納し、当該番組又は当該番組以外の番組の番組情報やメタデータを検索することのできる装置であるが、一般的な情報を格納する装置であってもよい。また、上記検索用タームを検索キーとして情報蓄積部５００内から当該番組情報に関連する番組や、関連する番組に付随する番組情報を取得する。以上に述べたように、上記検索用タームを検索キーとしてインターネット４００上の検索によって取得された情報及び情報蓄積部５００内の検索によって取得された情報が番組関連情報ＰＲＩとして関連情報検索部３００から出力される。
【００１８】
なお、上記説明においては、検索キーとして、デジタル放送受信部１００から番組情報取得部２００を経て得られた番組情報ＰＩから選択された検索用タームを用いた場合を説明したが、検索キーとして、情報蓄積部５００に格納された過去の放送番組についての取得情報ＰＩ０，ＰＲＩ０から選択した検索用タームを用いてもよい。この場合には、録画によって情報蓄積部５００に蓄積された番組に関する番組情報ＰＩ０や番組関連情報ＰＲＩ０から選ばれた検索用タームを検索キーとして検索を行うので、より詳しい番組の情報が関連情報検索部３００から出力される。
【００１９】
また、関連情報検索部３００から出力された番組関連情報ＰＲＩ０を情報蓄積部５００に格納するようにした場合には、再度、同じ検索用タームを用いて検索を行う場合に情報蓄積部５００に格納された番組関連情報ＰＲＩ０を用いることができる。また、情報蓄積部５００に蓄積された番組関連情報ＰＲＩ０は、番組を録画した場合には、録画した番組の番組関連情報として使用することができる。このように、情報蓄積部５００に格納された情報を用いて検索を行う場合には、ユーザーは視聴又は録画を希望する番組を判断するための情報を迅速に得ることができる。
【００２０】
番組情報表示制御部６００は、番組情報取得部２００で得られた番組情報ＰＩと関連情報検索部３００で得られた番組関連情報ＰＲＩ（情報蓄積部５００に蓄積された過去の番組の番組情報ＰＩ０及び番組関連情報ＰＲＩ０を含む。）を表示装置に出力し、表示装置はこれら情報を統合的にユーザーに提示する。
【００２１】
以上に説明したように、実施の形態１に係る番組情報提供装置１０によれば、放送信号に含まれる番組情報ＰＩに加えて、番組情報ＰＩを用いた情報蓄積装置５００内及びインターネット４００上の検索によって取得された番組関連情報ＰＲＩをも提供情報として、ユーザーに提供できるので、ユーザーは視聴又は録画を希望する番組を判断するための情報を適切且つ迅速に入手することができる。特に、録画によって蓄積された番組に関する番組情報ＰＩ０だけでなく、蓄積された番組関連情報ＰＲＩ０をも提示することができるので、ユーザーは、録画によって蓄積された番組を視聴するかどうかの判断が行い易くなる。また、情報蓄積部５００に番組関連情報ＰＲＩ０を格納しておくことによって、番組関連情報を提示するまでの時間を短縮できるので、録画した番組の関連情報を直ぐに提示することができる。
【００２２】
実施の形態２．
図２は、本発明の実施の形態２に係る番組情報提供装置の関連情報検索部３００の構成を示すブロック図である。実施の形態２に係る番組情報提供装置の構成は、関連情報検索部３００の構成が規定されている点を除いて、図１に示される実施の形態１に係る番組情報提供装置１０の構成（又は、図３及び６にそれぞれ示される実施の形態３及び６に係る番組情報提供装置３０及び６０の構成）と同じである。実施の形態２の説明においては、図１をも参照する。
【００２３】
図２に示されるように、関連情報検索部３００は、番組情報取得部２００によって取得された番組情報に含まれる語句から語句間の関連を示す語句関連情報を抽出する関連抽出部３１１と、番組情報取得部２００によって取得された番組情報に含まれる文章から文章の構文情報を抽出する構文抽出部３１２と、抽出された語句関連情報と構文情報とに基づいて検索用タームを推論し、検索用タームＰＩＴを出力する推論部３１３とを有している。関連抽出部３１１と、構文抽出部３１２と、推論部３１３とにより、意味解析部３１０が構成される。また、関連情報検索部３００は、検索用タームＰＩＴを検索キーとして、情報蓄積部５００内及びインターネット４００上で番組関連情報ＰＲＩを取得するための検索を行う検索部３２０を有する。
【００２４】
次に、実施の形態２の動作について説明する。上記実施の形態１においては、関連情報検索部３００内で検索用タームを選択する方法を限定していないが、実施の形態２においては、関連情報検索部３００内で検索用タームを選択する方法として番組情報のデータに対して意味解析を行う方法を採用している。
【００２５】
まず、意味解析部３１０の動作について説明する。番組提供者からの放送信号に含まれる番組情報ＰＩは番組情報取得部２００から関連抽出部３１１及び構文抽出部３１２に入力される。入力される番組情報ＰＩには、例えば、番組を説明する文章、番組の種類を示すジャンルを表す語句、字幕から取得された文章などが含まれる。関連抽出部３１１は、入力された番組情報ＰＩから語句を抽出し、抽出された語句同士の関連を検出する。ここで、語句同士の関連とは、親子、兄弟、内包、同義などの関係を言う。関連は、例えば、木構造によって表現される。一方、構文抽出部３１２は、入力された番組情報ＰＩの文章の構文の解析を行う。構文抽出部３１２は、解析の結果から、文章中の各タームのカテゴリ（例えば、実在物、関係、ロール、性質、事象、表現、など）を判別し、カテゴリ構造を出力する。
【００２６】
推論部３１３は、関連抽出部３１１から出力される番組情報中の語句間の関連情報を用いて番組情報自体の意味内容の上位概念を推論する。また、推論部３１３は、構文抽出部３１２から出力されるタームのカテゴリを用いて、カテゴリのうち重要度の高さを推論する。さらに、推論部３１３は、関連、カテゴリそれぞれにより推されたタームデータから検索に用いるタームを選択し、検索用タームＰＩＴとして出力する。
【００２７】
次に、検索部３２０の動作について説明する。検索部３２０は、意味解析部３１０から入力された検索用タームＰＩＴを検索キーとしてインターネット４００上及び情報蓄積部５００内において検索を行い、検索キーに関連した番組関連情報ＰＲＩを取得する。例えば、検索キーが「トリノオリンピック」であった場合には、トリノオリンピックに関する番組や関連情報のサイトなどが番組関連情報ＰＲＩとして得られる。
【００２８】
以上に説明したように、実施の形態２に係る番組情報提供装置によれば、放送信号に含まれる番組情報ＰＩに加えて、番組情報ＰＩを用いた情報蓄積装置５００内及びインターネット４００上の検索によって取得された番組関連情報ＰＲＩをも提供情報として、ユーザーに提供できるので、ユーザーは視聴又は録画を希望する番組を判断するための情報を適切且つ迅速に入手することができる。また、番組情報ＰＩに含まれる語句の関連や文章の構文から選ばれた検索用タームを検索キーとして用いることにより、確度の高い番組関連情報を取得することができる。
【００２９】
実施の形態３．
図３は、本発明の実施の形態３に係る番組情報提供装置３０の構成を示すブロック図である。図３の番組情報提供装置３０の構成は、実施の形態２、４、及び５に係る番組情報提供装置に適用可能な構成でもある。図３において、図１の構成と同一又は対応する構成には、同じ符号を付す。
【００３０】
実施の形態３に係る番組情報提供装置３０は、番組情報取得部２００によって取得された番組情報ＰＩと関連情報検索部３００によって取得された番組関連情報ＰＲＩとが入力され、番組情報ＰＩと番組関連情報とＰＲＩの関連性を判断し、この判断結果に基づいて、番組情報表示制御部６００に入力する情報を選択する意味関連判断部７００を有する点が、上記実施の形態１に係る番組情報提供装置１０と相違する。このため、上記実施の形態１においては、番組情報取得部２００から出力された番組情報ＰＩと関連情報検索部３００から出力された番組関連情報ＰＲＩをすべて表示装置に表示させる場合を説明したが、実施の形態３においては、これら２種類の情報の関連を考査した後、互いに関連のあるデータをユーザーに提示する。この点を除き、実施の形態３に係る番組情報提供装置３０は、上記実施の形態１に係る番組情報提供装置１０と同じである。
【００３１】
次に、実施の形態３に係る番組情報提供装置３０の動作を説明する。意味関連判断部７００は、関連情報検索部３００から出力された番組関連情報ＰＲＩと番組情報取得部２００から出力された番組情報ＰＩとの関連性を判断し、判断した関連性を関連情報検索部３００で得られた情報の確からしさとして用い、関連性の高低に基づいて関連情報をさらに取捨選択する。例えば、番組情報ＰＩと番組関連情報ＰＲＩとの関連性が高いと判定された（例えば、関連性が高いほど大きい値を持つ指標を用い、この指標が基準レベルを超えた）番組関連情報ＰＲＩ１を、番組情報表示制御部６００に出力し、番組情報表示制御部６００は選択された番組情報ＰＩ１及び番組関連情報ＰＲＩ１に基づく情報を表示装置に表示させる。
【００３２】
番組情報ＰＩと番組関連情報ＰＲＩとの関連性の高低は、例えば、以下のように判定される。番組情報ＰＩが「トリノオリンピック」であり、番組関連情報ＰＲＩがトリノオリンピックに関する番組や関連情報のサイトである場合には、番組情報ＰＩ及び番組関連情報ＰＲＩのいずれにも「トリノオリンピック」という共通するデータが含まれるので、関連性が高いと判定できる。これに対し、番組情報ＰＩが「トリノオリンピック」であり、番組関連情報ＰＲＩがトリノ市に関する番組や関連情報のサイトである場合であって、番組関連情報ＰＲＩに「トリノオリンピック」というデータが含まれていない場合には、関連性が低いと判定できる。また、番組情報ＰＩが「トリノオリンピック」であり、番組関連情報ＰＲＩがオリンピックに関する番組や関連情報のサイトである場合であって、番組関連情報ＰＲＩに「トリノオリンピック」というデータが含まれていない場合には、関連性が低いと判定できる。
【００３３】
以上に説明したように、実施の形態３に係る番組情報提供装置３０によれば、放送信号に含まれる番組情報ＰＩ１に加えて、番組情報ＰＩ１を用いた情報蓄積装置５００内及びインターネット４００上の検索によって取得された番組関連情報ＰＲＩ１をも提供情報として、ユーザーに提供できるので、ユーザーは視聴又は録画を希望する番組を判断するための情報を適切且つ迅速に入手することができる。特に、検索によって得られた番組関連情報ＰＲＩと元の番組情報ＰＩとの関連性を判断することによってより、ユーザーは確度の高い番組関連情報を取得することができる。
【００３４】
実施の形態４．
図４は、本発明の実施の形態４に係る番組情報提供装置の関連情報検索部３０１の構成を示すブロック図である。実施の形態４に係る番組情報提供装置の構成は、関連情報検索部３０１の構成が規定されている点を除いて、図１に示される実施の形態１に係る番組情報提供装置１０の構成（又は、図３及び６にそれぞれ示される実施の形態３及び６に係る番組情報提供装置３０及び６０の構成）と同じである。図４において、図２の構成と同一又は対応する構成には、同じ符号を付す。実施の形態４の説明においては、図１及び図２をも参照する。
【００３５】
図４に示されるように、関連情報検索部３０１は、意味解析部３１０と、検索部３２０と、意味解析部３１０にデータを提供し、また、意味解析部３１０からのデータを格納する知識スキーム提供部３３０とを有する。上記実施の形態２においては、検索のたびに、意味解析を行う場合を説明したが、実施の形態４においては、あらかじめ蓄積された知識スキームを使って意味解析を行う装置を説明する。この点を除き、実施の形態４に係る番組情報提供装置は、上記実施の形態２に係る番組情報提供装置と同じである。
【００３６】
次に、実施の形態４に係る番組情報提供装置の動作を説明する。知識スキーム提供部３３０には、例えば、関連抽出部３１１から解析結果として出力されるような語句間の関連情報や、構文抽出部３１２における処理から導かれるカテゴリ構造などについての情報を知識スキームとしてあらかじめ格納しておく。意味解析部３１０は、知識スキーム提供部３３０から出力される知識スキームと入力される番組情報ＰＩとの適合性を照査することで意味解析を行う。
【００３７】
また、意味解析部３１０における意味解析によって作成された知識スキームを知識スキーム提供部３３０に格納するような処理方法を用いて、知識スキーム提供部３３０に格納される知識スキームを追加及び変更する。
【００３８】
以上に説明したように、実施の形態４に係る番組情報提供装置によれば、放送信号に含まれる番組情報ＰＩに加えて、番組情報ＰＩを用いた情報蓄積装置５００内及びインターネット４００上の検索によって取得された番組関連情報ＰＲＩをも提供情報として、ユーザーに提供できるので、ユーザーは視聴又は録画を希望する番組を判断するための情報を適切且つ迅速に入手することができる。特に、あらかじめ用意した知識スキームを用いて意味解析を行うことによって、実施の形態４に係る番組情報提供装置が放送番組に関する情報を提供する処理を行う際の、システム負荷の低減を図ることができ、番組情報提供装置を構成するシステムのモジュール量、メモリ量、ＣＰＵ負荷を減らすことができる。このためシステム構築者は、リソースの低減を図ることができると共に、検索時間の短縮を図ることができ、ユーザーへの情報提示までの時間も短縮することができ、ユーザーの使い勝手の向上に寄与することができる。
【００３９】
また、実施の形態４に係る番組情報提供装置によれば、知識スキーム提供部３３０に格納される知識スキームを、意味解析部３１０による意味解析の結果を用いて追加及び変更することができるので、より確度の高い解析を短い処理時間で行うことができ、ユーザーへの情報提示までの時間を短縮することができる。
【００４０】
実施の形態５．
図５は、本発明の実施の形態５に係る番組情報提供装置の番組情報取得部２０１の構成を示すブロック図である。実施の形態５に係る番組情報提供装置の構成は、番組情報取得部２０１の構成が規定されている点を除いて、図１に示される実施の形態１に係る番組情報提供装置１０の構成（又は、図３及び６にそれぞれ示される実施の形態３及び６に係る番組情報提供装置３０及び６０の構成）と同じである。実施の形態５の説明においては、図１をも参照する。
【００４１】
図５に示されるように、番組情報取得部２０１は、放送信号に含まれる音声情報を取得する音声情報取得部２１１と、放送信号に含まれる字幕情報を取得する字幕情報取得部２１２と、字幕情報取得部２１２によって取得された字幕情報から、音声情報に基づいて特定された特定シーンの字幕情報を取得し、番組情報ＰＩとして出力する特定シーン字幕情報取得部２２１とを有する。音声情報取得部２１１と字幕情報取得部２１２は、受信情報取得部２１０を構成する。特定シーン情報取得部２２１は、特定情報取得部２２０を構成する。実施の形態１では、番組情報取得部２００で取得する情報について特定しない方式について説明を行ったが、音声情報と字幕情報を用いて特定シーンの番組情報を取得する方式について説明する。
【００４２】
次に、実施の形態５に係る番組情報提供装置の動作を説明する。番組情報取得部２０１は、受信情報取得部２１０と特定情報取得部２２０の処理機能で動作する。受信情報取得部２１０は、受信情報に含まれる情報を項目別に取得する機能を持つ。特定情報取得部２２０は、受信情報取得部２１０で取得した情報群を合わせて特定の情報のみを選定する機能を持つ。
【００４３】
音声情報取得部２１１は、受信データから音声情報を抜き出し、例えば、音声の周波数パターン等を用いて特定シーンがどの時間帯に起こったかという情報を検出する。特定シーンは、例えば、番組の中で盛り上がり示すシーン、サッカーのゴールシーン、音楽番組などの楽曲が流れるシーンなどを含む。字幕情報取得部２１２は、番組の中に含まれている字幕の情報を文章にして取得する。このときに字幕から取得した文章が番組のどの時間帯に表示されるのかについても合わせて取得する。
【００４４】
これら２種類のデータは、特定シーン字幕情報取得部２２１に入力される。特定シーン字幕情報取得部２２１は、２種類のデータを照合し、特定時間帯に流れる字幕の情報を検出し、番組情報として出力する。特定シーン字幕情報取得部２２１から出力されたデータは、番組情報ＰＩとして用いられ、この番組情報ＰＩに基づいて番組関連情報ＰＲＩを検索する。
【００４５】
以上に説明したように、実施の形態５に係る番組情報提供装置によれば、放送信号に含まれる番組情報ＰＩに加えて、番組情報ＰＩを用いた情報蓄積装置５００内及びインターネット４００上の検索によって取得された番組関連情報ＰＲＩをも提供情報として、ユーザーに提供できるので、ユーザーは視聴又は録画を希望する番組を判断するための情報を適切且つ迅速に入手することができる。特に、音声情報から特定シーンを検出し、特定シーン部分の字幕を番組情報として使用することにより、特定シーンに関連した番組関連情報ＰＲＩを取得することができるので、ユーザーに対して、番組のシーンを考慮に入れた（すなわち、きめ細かい配慮が加えられた）番組関連情報ＰＲＩを提供することができる。
【００４６】
実施の形態６．
図６は、本発明の実施の形態６に係る番組情報提供装置６０の構成を示すブロック図である。図６の番組情報提供装置６０の構成は、実施の形態２、４、５に係る番組情報提供装置に適用可能な構成でもある。図６において、図１の構成と同一又は対応する構成には、同じ符号を付す。
【００４７】
実施の形態６に係る番組情報提供装置６０は、視聴履歴、録画履歴、及びユーザーに関する情報の少なくとも一つを含む参照情報Ｒを格納する参照情報格納部９００と、参照情報Ｒと、番組情報ＰＩ及び番組関連情報ＰＲＩとの比較結果に基づいて、番組情報表示制御部６００に入力する情報を選択するお勧め番組抽出部８００とを有する点が、上記実施の形態１に係る番組情報提供装置１０と相違する。実施の形態１に係る番組情報提供装置１０においては、番組情報ＰＩと番組関連情報ＰＲＩとをそのまま番組情報表示制御部６００を介して表示装置に出力する場合を説明したが、実施の形態６に係る番組情報提供装置６０においては、番組のユーザーに対するお勧め度を加味してユーザーに番組に関する情報を提示する場合を説明する。この点を除き、実施の形態６に係る番組情報提供装置６０は、上記実施の形態１に係る番組情報提供装置１０と同じである。
【００４８】
次に、実施の形態６に係る番組情報提供装置６０の動作を説明する。参照情報格納部９００には、ユーザーが、例えば、どの番組を、また、どのような種類の番組を、どの時間帯に視聴したか又は録画したかを示す視聴履歴及び録画履歴や、例えば、ユーザーの年齢、性別、嗜好などのユーザー情報が格納される。お勧め番組抽出部８００は、視聴履歴及び／又はユーザー情報などの参照情報Ｒと、番組情報ＰＩ及び／又は番組関連情報ＰＲＩとの一致度を照査した結果に基づいて、お勧め番組を選び、お勧め番組であることを示す情報を付加して、番組情報表示制御部６００を経由して表示装置に情報を提供する。表示装置は、番組情報及び番組関連情報に加えて、お勧め度を示す情報をも表示する。
【００４９】
以上に説明したように、実施の形態６に係る番組情報提供装置３０によれば、放送信号に含まれる番組情報ＰＩに加えて、番組情報を用いた情報蓄積装置５００内及びインターネット４００上の検索によって取得された番組関連情報ＰＲＩをも提供情報として、ユーザーに提供できるので、ユーザーは視聴又は録画を希望する番組を判断するための情報を適切且つ迅速に入手することができる。特に、番組関連情報としてお勧め度をユーザーに提示することができるのでユーザーは、当該番組を視聴するか、予約録画するかを容易に判断することができる。
【００５０】
なお、上記実施の形態１から６までの番組情報提供装置の各構成を組み合わせること（例えば、図３の意味関連判断部を図６に追加する場合など）も可能である。
【符号の説明】
【００５１】
１０，３０，６０  番組情報提供装置、  １００  デジタル放送受信部、  ２００，２０１  番組情報取得部、  ２１０  受信情報取得部、  ２１１  音声情報取得部、  ２１２  字幕情報取得部、  ２２０  特定情報取得部、  ２２１  特定シーン字幕情報取得部、  ３００，３０１  関連情報検索部、  ３１０  意味解析部、  ３１１  関連抽出部、  ３１２  構文抽出部、  ３１３  推論部、  ３２０  検索部、  ３３０  知識スキーム提供部、  ４００  インターネット、  ４１０  情報配信装置、  ５００  情報蓄積部、  ６００  番組情報表示制御部、  ７００  意味関連判断部、  ８００  お勧め番組抽出部、  ９００  参照情報格納部。
【図１】
0005301693.tif 000002
【図２】
0005301693.tif 000003
【図３】
0005301693.tif 000004
【図４】
0005301693.tif 000005
【図５】
0005301693.tif 000006
【図６】
0005301693.tif 000007